(57)【特許請求の範囲】
【請求項１】
複数の書架等の上端に、各端部または中間部を固定することにより、各書架等が地震時等に転倒するのを防止するようにした書架等への防振杆の取付構造において、前記書架等の上端より起立する補助支柱の上端に、取付角度変更不能の防振杆を固着するとともに、前記補助支柱の上端部側面に固着したブラケットの上面により、他の防振杆の一端部を垂直軸回りに回動可能として受支する受け面を設けたことを特徴とする書架等への防振杆の取付構造。
【請求項２】
複数の書架等の上端に、各端部または中間部を固定することにより、各書架等が地震時等に転倒するのを防止するようにした書架等への防振杆の取付構造において、書架等の上端、またはそこから起立する補助支柱の上端に、防振杆を挿通しうる水平の環体を、垂直軸回りに回動可能として装着し、かつ前記環体へ外部から挿入した止めねじにより、その中へ挿通されている防振杆を、環体に固着し得るようにしたことを特徴とする書架等への防振杆の取付構造。
【請求項３】
防振杆を、断面上向きコ字状のものとし、その中に、配線を収容し得るようにした請求項１または２記載の書架等への防振杆の取付構造。
【請求項４】
防振杆を、丸パイプからなるものとした請求項１または２記載の書架等への防振杆の取付構造。
【発明の詳細な説明】
【０００１】
【発明の属する技術分野】
本発明は、書架、物品棚、キャビネット、ロッカー等(以下書架等という)への防振杆の取付構造、すなわち、室内の床面等に互いに離間するようにして設けた複数の書架等が、地震等により転倒するのを防止するようにした書架等への防振杆の取付構造に関する。
【０００２】
【従来の技術】
図書館、学校、各種施設等において、互いに離間するようにして室内に配設された複数の組立式書架等のための従来の転倒防止機構としては、例えば特許第2,795,186号公報、及び実公昭62-11470号公報等に記載されているように、互いに隣接する書架等の頂部同士を、角管等からなる防振杆をもって連結したものが一般的である。
【０００３】
これら従来のものでは、いずれも、形状及び寸法がすべて同一の複数の書架等を、縦横に整然と並べ、それらを防振杆をもって直線状に連続的に連結している。
【０００４】
【発明が解決しようとする課題】
しかし、近年、図書館等においては、書架だけでなく、ＣＤ用の陳列棚や、ビデオテープ用の陳列棚等を種々の配置で配設することが多くなってきており、上述のような従来の防振杆の連結構造では、このような形状や寸法が異なる複数の書架や陳列棚同士を互いに連結したり、向きが異なる複数の書架等同士を連結したりするのに対応できないようになってきている。
【０００５】
本発明は、従来の技術が有する上記のような問題点に鑑み、形状や寸法、または向き等が異なる複数の書架等同士を、簡単かつ確実に連結しうるようにした書架等への防振杆の取付構造を提供することを目的としている。
【０００６】
【課題を解決するための手段】
本発明によると、上記課題は、次のようにして解決される。
（１）複数の書架等の上端に、各端部または中間部を固定することにより、各書架等が地震時等に転倒するのを防止するようにした書架等への防振杆の取付構造において、前記書架等の上端より起立する補助支柱の上端に、取付角度変更不能の防振杆を固着するとともに、前記補助支柱の上端部側面に固着したブラケットの上面により、他の防振杆の一端部を垂直軸回りに回動可能として受支する受け面を設ける。
【０００７】
（２）複数の書架等の上端に、各端部または中間部を固定することにより、各書架等が地震時等に転倒するのを防止するようにした書架等への防振杆の取付構造において、書架等の上端、またはそこから起立する補助支柱の上端に、防振杆を挿通しうる水平の環体を、垂直軸回りに回動可能として装着し、かつ前記環体へ外部から挿入した止めねじにより、その中へ挿通されている防振杆を、環体に固着し得るようにする。
【０００８】
（３）上記(１)または(２)項において、防振杆を、断面上向きコ字状のものとし、その中に、配線を収容し得るようにする。
【０００９】
（４）上記(１)または(２)項において、防振杆を、丸パイプからなるものとする。
【００１０】
【発明の実施の形態】
図１は、本発明の第１の実施形態をもって互いに連結した複数の書架(１)(２)(２)と、ＣＤ用陳列棚(３)と、ビデオテープ用陳列棚(４)との正面図、図２は、その平面図である。
【００１１】
この例では、図書館等の室内の床面(５)上に、部屋の側壁(６)に近接し、かつ片面のみから書籍等を出し入れしうるようにした１個の片面型の書架(１)と、両面から書籍等を出し入れしうるようにした２個の両面型の書架(２)(２)とが、前後方向に向けて、かつ左右方向に互いに離間させて載置されるとともに、それらの書架(１)(２)(２)の右方の延長部の中央に、それらより狭幅とした前後方向を向くＣＤ用陳列棚(３)が、またそのＣＤ用陳列棚(３)と、それに最も近接した書架(２)との間の後方に、左右方向を向くビデオテープ用陳列棚(４)が、部屋の後壁(７)に近接させて、それぞれ載置されている。
【００１２】
各書架(１)(２)及び陳列棚(３)(４)は、両側部の１対の支柱(８)(８)と、それらの間に架設された複数段の棚板(９)とを備えており(その他の構成部材は本発明には直接関係しないので、それらについての詳細な説明は省略する)、両側部の支柱(８)(８)の上端には、補助支柱(10)(10)が、着脱可能として装着されている。
【００１３】
図１〜図５に示すように、書架(１)(２)(２)の前後の補助支柱(10)の上端には、左右方向を向く前後１対の防振杆(11)(11)の両端部と中間部とが、左右に並ぶ２個ずつのボルト・ナット(ナットは、補助支柱(10)の頂壁(10a)(図３参照)の下面に溶接されている)(12)(12)をもってそれぞれ固着されている。
【００１４】
また、前後の防振杆(11)(11)における補助支柱(10)の直上の両端部と中間部との対向端面には、前後方向を向く３本の連結杆(13)の前後の端部が、上下２個ずつのボルト・ナット(14)(14)をもってそれぞれ固着されている。
【００１５】
以上の構成は、従来のものとほぼ同一であるが、本発明においては、次のような点が従来のものと相違している。
すなわち、図２〜図４に示すように、最も右方の書架(２)における前後の補助支柱(10)(10)の上端部右側面と、ＣＤ用陳列棚(３)における前後の補助支柱(10)(10)の上端部左側面とには、側面形が下向きコ字状をなすブラケット(15)が溶接等により固着されており、補助支柱(10)の上端面と整合する各ブラケット(15)の上面により形成された受け面(15a)には、前後２本の防振杆(16)(16)の各端部が載置され、かつ締着手段である上下方向を向くボルト・ナット(17)により受け面(15a)に締着されることにより、防振杆(16)(16)の各端部が、ボルト・ナット(17)を中心として、水平方向に取付角度変更可能として各補助支柱(10)の上端部に取付けられている。
【００１６】
また、図２及び図５に示すように、最も右方の書架(２)における後部の補助支柱(10)の上端部後面と、ＣＤ用陳列棚(３)における後部の補助支柱(10)の上端部後面と、ビデオテープ用陳列棚(４)における左右の補助支柱(10)(10)の上端部前面とには、正面形が下向きコ字状をなすブラケット(18)が溶接等により固着されており、補助支柱(10)の上端面と整合する各ブラケット(18)の上面により形成された受け面(18a)には、左右２本の防振杆(19)(19)の各端部が載置され、かつ締着手段である上下方向を向くボルト・ナット(20)により受け面(18a)に締着されることにより、防振杆(19)(19)の各端部が、ボルト・ナット(20)を中心として、水平方向に取付角度変更可能として各補助支柱(10)の上端部に取付けられている。
【００１７】
したがって、防振杆(16)(19)を、現場で所望の長さに切断して、それらの各端部を、いずれかのブラケット(15)(18)の受け面(15a)(18a)に載置して、ボルト・ナット(17)(20)により締着することにより、形状や寸法等が異なるＣＤ用陳列棚(３)やビデオテープ用陳列棚(４)等を、所望の向きに配置して、防振杆(16)(19)により、地震時等に倒れないように、書架(２)等に連結することができる。
【００１８】
ＣＤ用陳列棚(３)及びビデオテープ用陳列棚(４)における両補助支柱(10)(10)の上端には、上述したのと同様の連結杆(13)の各端部が、２個ずつのボルト・ナット(12)(12)をもってそれぞれ固着されている。
【００１９】
防振杆(11)(16)(19)及び連結杆(13)の断面形状は、すべて上向きコ字状とし、その中に照明器具その他の電気機器に給電するための電源コードその他の配線(図示略)を収容しうるようにするのが好ましい。
【００２０】
なお、片面型の書架(１)の支柱(８)または補助支柱(10)や、ビデオテープ用陳列棚(４)の支柱(８)または補助支柱(10)は、平面視Ｌ字状の適宜の取付金具(21)をもって、室内の側壁(６)や後壁(７)に固定しておくのが好ましい。
【００２１】
図６は、本発明の第２の実施形態を示す、図４と同様の部分の斜視図である。なお、図１〜図５に示すものと同一の部材には、同一の符号を付して図示するに止め、それらについての詳細な説明は省略する。
【００２２】
この例では、上述の防振杆(16)に代えて、金属製の丸パイプにより形成した防振杆(22)を用い、その各端部を環体(23)に挿通して、環体(23)の外周部に設けたねじ孔(24)に螺合した放射方向を向く１個または複数個(この例では２個)の止めねじ(25)を、防振杆(22)の外周面に向けて締め付けることにより、防振杆(22)を環体(23)に固着してある。
【００２３】
環体(23)は、その下端に垂設したボルト(26)を、補助支柱(10)に固着したブラケット(15)の受け面(15a)に設けた通孔(27)に挿通して、その下方よりナット(28)を締着することにより、ブラケット(15)に、ボルト(25)の中心軸線回りに取付角度変更可能として取付けられている。
その他の構成は、第１の実施形態におけるのと同一である。
【００２４】
この第２の実施形態によると、止めねじ(25)を緩めて、その防振杆(22)に対する締め付け位置を変更することにより、防振杆(22)の有効長を簡単に調節することができるとともに、防振杆(22)を安価な丸パイプにより形成することができ、しかも、現場での作業が容易である等の利点がある。
【００２５】
なお、環体(23)を、ブラケット(15)の上端部に、上下方向を向く軸(図示略)をもって予め枢着しておいてもよい。
【００２６】
また、上述の第１及び第２のいずれの実施形態においても、各書架(１)(２)及び陳列棚(３)(４)の上端に補助支柱(10)を立設して、その上端部に防振杆(11)(16)(19)を取り付けているが、補助支柱(10)を省略して、防振杆(11)(16)(19)を書架(１)(２)や陳列棚(３)(４)の上端、例えばそれらの支柱(８)の上端や天板等に直接取り付けて実施してもよい。
【００２７】
【発明の効果】
請求項１および２記載の発明によると、従来のように、形状や寸法が同一の複数の書架等を整然と並べる場合だけでなく、形状や寸法、または向き等が異なる複数の書架等同士をも、防振杆により、簡単かつ確実に連結することができ、室内における書架等のレイアウトの自由度が増す。
【００２８】
請求項１記載の発明によると、防振杆の各端部を受け面に載置して、所望の方向に向けた上で、防振杆を補助支柱に楽に連結することができ、作業性がよい。
【００２９】
また、補助支柱の上端に、従来と同様の取付角度変更不能の防振杆の他に、取付角度変更可能の防振杆を、必要に応じて取り付けることができるので、整然と並べた書架等の周囲に、形状や寸法、または向き等が異なる書架等をオプションとして配設する場合に便利である。
【００３０】
請求項２記載の発明によると、止めねじを緩めて、防振杆に対する締め付け位置を変更することにより、防振杆の有効長を簡単に調節することができ、現場での作業が容易である。
【００３１】
請求項３記載の発明によると、断面上向きコ字状とした防振杆内に、照明器具等への給電用の電源コードや、その他の配線を収容できるので、配線の処理が容易であり、配線が外部に露呈しないので体裁がよい。
【００３２】
請求項４記載の発明によると、防振杆を安価な丸パイプにより形成することができるので、製造コストを低減できるとともに、現場での作業性を向上することができる。
【図面の簡単な説明】
【図１】  本発明の第１の実施形態をもって互いに連結した複数の書架と、ＣＤ用陳列棚と、ビデオテープ用陳列棚との一部切欠正面図である。
【図２】  同じく、平面図である。
【図３】  同じく、図２のIII−III線に沿う拡大縦断正面図である。
【図４】  同じく、図２のＡ部の拡大分解斜視図である。
【図５】  同じく、図２のＢ部の拡大分解斜視図である。
【図６】  本発明の第２の実施形態における、図４と同様の部分の分解斜視図である。
【符号の説明】
(１)(２)書架
(３)ＣＤ用陳列棚
(４)ビデオテープ用陳列棚
(５)床面
(６)側壁
(７)後壁
(８)支柱
(９)棚板
(10)補助支柱
(10a)頂壁
(11)防振杆
(12)ボルト・ナット
(13)連結杆
(14)ボルト・ナット
(15)ブラケット
(15a)受け面
(16)防振杆
(17)ボルト・ナット(締着手段)
(18)ブラケット
(18a)受け面
(19)防振杆
(20)ボルト・ナット(締着手段)
(21)取付金具
(22)防振杆
(23)環体
(24)ねじ孔
(25)止めねじ
(26)ボルト
(27)通孔
(28)ナット
【図１】
0004080790.tif 000002
【図２】
0004080790.tif 000003
【図３】
0004080790.tif 000004
【図４】
0004080790.tif 000005
【図５】
0004080790.tif 000006
【図６】
0004080790.tif 000007